(57)【要約】【課題】良好な使用感を維持しつつ、省スペースで、異なる容器を安定に収納することができる容器収納構造を提供する。【解決手段】容器収納構造２０は、床部２１と、下端が床部２１により閉塞閉口すると共に上端が開口する筒状の筒部２２とを備えて、床部２１が、小容器Ａが設置可能な小設置領域２４と、大容器Ｂが設置可能な大設置領域２５と、を有し、床部２１に、二つの小設置領域２４と一つの大設置領域２５とが、ｘ方向に沿って列を成して互い違いに配置されると共に、下端に向って見て隣り合う小設置領域２４及び大設置領域２５が重なり合っている。【選択図】図２
2018127081.tif 000002
【特許請求の範囲】
【請求項１】
容器が設置される床部と、下端がこの床部により閉塞すると共に上端が開口する筒状の筒部とを備えて、
前記床部が、前記容器のうちの底面の小さい方の小容器が設置可能な小設置領域と、前記容器のうちの底面の大きい方の大容器が設置可能な大設置領域と、を有し、
前記床部に、前記小設置領域と前記大設置領域とが、前記床部の長手方向に沿って列を成して互い違いに三つ以上配置されると共に、下端に向って見て隣り合う前記小設置領域及び前記大設置領域が重なり合っていることを特徴とする容器収納構造。
【請求項２】
隣り合う前記小設置領域及び前記大設置領域が重なって形成された設置領域の角部に、前記筒部からその角部に向かって突出する突出部を備えている請求項１に記載の容器収納構造。
【請求項３】
前記筒部と前記突出部とにより、前記床部に設置された全ての前記容器に対して、その容器の周方向に間隔を空けて配置された少なくとも三つ以上の支持部が形成されている請求項２に記載の容器収納構造。
【請求項４】
前記床部は、前記大設置領域における前記床部が、前記小設置領域における前記床部よりも低い二段構造を成している請求項１〜３のいずれか１項に記載の容器収納構造。
【請求項５】
前記床部、又は、前記筒部の一部が、車両の内装パネルで構成されている請求項１〜４のいずれか１項に記載の容器収納構造。
【発明の詳細な説明】
【技術分野】
【０００１】
本発明は、容器収納構造に関し、より詳細には、省スペースで、異なる大きさの容器を安定した状態で収納可能な容器収納構造に関する。
【背景技術】
【０００２】
異なる大きさの容器を収納可能な容器収納構造が提案されている。（例えば、特許文献１参照）。
【先行技術文献】
【特許文献】
【０００３】
【特許文献１】特開２０１６−３４８０６号公報
【発明の概要】
【発明が解決しようとする課題】
【０００４】
ところで、上記の構造では、異なる大きさの容器ごとに設けられた収納空間が互いに交差して配置されている。それ故、容器ごとに出し入れの方向が異なるという煩わしさがあった。
【０００５】
本発明は、上記のことを鑑みてなされたものであり、その目的は、良好な使用感を維持しつつ、省スペースで、異なる容器を安定した状態で収納することができる容器収納構造を提供することにある。
【課題を解決するための手段】
【０００６】
上記の目的を達成する本発明の容器収納構造は、容器が設置される床部と、下端がこの床部により閉塞すると共に上端が開口する筒状の筒部とを備えて、前記床部が、前記容器のうちの底面の小さい方の小容器が設置可能な小設置領域と、前記容器のうちの底面の大きい方の大容器が設置可能な大設置領域と、を有し、前記床部に、前記小設置領域と前記大設置領域とが、前記床部の長手方向に沿って列を成して互い違いに三つ以上配置されると共に、下端に向って見て隣り合う前記小設置領域及び前記大設置領域が重なり合っていることを特徴とする。
【０００７】
なお、ここでいう小容器としては、例えば、規定容量を５００ｍＬとするペットボトルが例示でき、大容器としては、例えば、規定容量を１．０Ｌ、あるいは１．５Ｌとするペットボトルが例示できる。
【発明の効果】
【０００８】
本発明によれば、床部の長手方向に、合わせて三つ以上の小設置領域と大設置領域とを互い違いに配置されると共に、隣り合う小設置領域及び大設置領域を重なり合わせている。それ故、小容器又は大容器のそれぞれの出し入れの方向を同一方向にすることで、良好な使用感を維持することができる。また、小容器又は大容器のどちらか一方を床部に選択的に設置することで、設置に要する面積を小さくしつつ、それぞれの容器を専用のスペースに設置することができる。これにより、省スペースで、異なる容器を安定した状態で収納することができる。
【図面の簡単な説明】
【０００９】
【図１】本発明の容器収納構造の実施形態を例示するフロントドアの構成図である。
【図２】図１の小容器が設置された状態の容器収納構造を例示する斜視図である。
【図３】図１の大容器が設置された状態の容器収納構造を例示する斜視図である。
【図４】図１の容器収納構造を例示する上面図である。
【発明を実施するための形態】
【００１０】
以下に、本発明の実施形態について、図面を参照して説明する。図中では、ｘを車両の前後方向とし、ｙをｘ方向に直交する車両の左右方向とし、ｚ方向を鉛直方向とする。
【００１１】
図１〜図４に例示するように、実施形態の容器収納構造２０は、車両のフロントドア１０の内装パネル１１に形成されていて、小容器Ａ又は大容器Ｂを設置可能に構成されている。
【００１２】
小容器Ａ、大容器Ｂは、飲料水用の容器であり、小容器Ａの底面が大容器Ｂの底面よりも小さければよく、小容器Ａ、大容器Ｂは、様々な規定容量の容器が例示できる。以下の実施形態では、小容器Ａとして規定容量が５００ｍＬのペットボトルを、大容器Ｂとして規定容量が１．５Ｌ、あるいは１．０Ｌのペットボトルを例に説明する。
【００１３】
図１に例示するように、内装パネル１１は、車両のフロントドア１０のサイドウインドウ１２の下方に配置されていて、グリップハンドルやドアポケットなどが形成されている。容器収納構造２０は、ｚ方向上方に開口した有底筒状の構造であり、床部２１、筒部２２、及び突出部２３Ａ、２３Ｂを備えている。
【００１４】
図２及び図３に例示するように、床部２１は、内装パネル１１に直交するように内装パネル１１からｙ方向内側に向って立設された第一パネルで構成されていて、その板面の長手方向がｘ方向に、短手方向がｙ方向に向いている。
【００１５】
床部２１は、二つの小設置領域２４と、一つの大設置領域２５とを有している。また、床部２１は、二段構造を成していて、二つの高床面２６と、一つの低床面２７とから構成されている。
【００１６】
小設置領域２４は、小容器Ａが設置可能にｚ方向下方に見て円形を成している領域である。大設置領域２５は、大容器Ｂが設置可能にｚ方向下方に見て円形を成している領域である。上述したとおり、小容器Ａの底面は大容器Ｂの底面より小さいことから、小設置領域２４の面積Ｓ１は、大設置領域２５の面積Ｓ２よりも小さくなる。
【００１７】
二つの小設置領域２４及び一つの大設置領域２５は、床部２１の長手方向であるｘ方向に沿って列を成して互い違いに配置されている。なお、本明細書において、列を成すとは、小設置領域２４及び大設置領域２５のそれぞれの中心が床部２１のｙ方向中央部で直線状に一列に配列された状態のみには限定されずに、小設置領域２４及び大設置領域２５のそれぞれの中心が床部２１の長手方向に沿って略一列に配置された状態を示している。例えば、床部２１がｚ方向下方に見てＬ字状に形成されていた場合は、二つの小設置領域２４及び一つの大設置領域２５がＬ字状に列を成してもよい。
【００１８】
ｚ方向下方に見て隣り合う小設置領域２４及び大設置領域２５は、重なり合っている。なお、隣り合う小設置領域２４及び大設置領域２５は、ｚ方向下方に見て重なり合っていればよく、この実施形態のように、床部２１が二段構造の場合は、それぞれの領域が直接的に重なり合っていなくてもよい。
【００１９】
高床面２６は、低床面２７よりも一段ｚ方向上方に底上げされている。二つの高床面２６は、低床面２７のｘ方向の両端にそれぞれ隣接して配置されている。低床面２７は、大設置領域２５が収まる大きさに形成されている。高床面２６は、小設置領域２４の一部、詳しくは、小設置領域２４のうちの大設置領域２５に重なる部位を除いた部位が収まる大きさに形成されている。
【００２０】
筒部２２は、下端が床部２１により閉塞すると共に上端が開口する筒状に構成されている。この実施形態で、筒部２２は、内装パネル１１と第二パネルとの二つの部材から構成されている。内装パネル１１は、床部２１と直交しており、第二パネルは、床部２１の周縁をコの字状に覆うと共に、床部２１からｚ方向上方に向かってｚ方向上方に向って容器Ａ、Ｂの中途位置まで延在している。
【００２１】
突出部２３Ａ、２３Ｂは、筒部２２からｙ方向内側に向かって突出しているリブで構成されている。より具体的に、突出部２３Ａは、筒部２２の第二パネルから内装パネル１１に向って突出していると共に、床部２１からｚ方向上方に延在して、横断面形状が角丸三角形に形成されたリブで構成されている。突出部２３Ｂは、筒部２２を形成する内装パネル１１から第二パネルの内装パネル１１に対向する面に向って突出していると共に、ｘ方向に延在して、ｙ方向一端が内装パネル１１に接合されていて、他端がｚ方向可能に見て波型に形成されたリブで構成されている。
【００２２】
図４に例示するように、この実施形態で、大設置領域２５は、それぞれの小設置領域２４の中心Ｐ１を通過する中心線Ｌ１の間に存在している。小設置領域２４は、大設置領域２５のｘ方向の二本の接線Ｌ２の間に存在している。
【００２３】
また、小設置領域２４と大設置領域２５とは、大設置領域２５が、小設置領域２４の中心Ｐ１と大設置領域２５の中心Ｐ２とを通過する中心線Ｌ３に中心Ｐ３が存在して小設置領域２４と外接する外接円Ｃ１に重ならないように配置されている。なお、大設置領域２５が、外接円Ｃ１に重ならなければよく、大設置領域２５と外接円Ｃ１とが内接してもよい。
【００２４】
突出部２３Ａ、２３Ｂは、筒部２２から隣り合う小設置領域２４及び大設置領域２５が重なって形成された設置領域に形成された角部２８に向って突出している。角部２８は、設置領域における床部２１の外側からｙ方向中央部に向って窪んでいる部位であり、内装パネル１１側の二つと、第二パネルの内装パネル１１に対向する面側に二つの合計四つ形成されている。
【００２５】
また、突出部２３Ａ、２３Ｂは、筒部２２と小設置領域２４及び大設置領域２５が重なって形成された設置領域との間の部分を埋めるように形成されており、この実施形態で、ｚ方向下方に見て略三角形状に形成されている。
【００２６】
突出部２３Ａは、筒部２２の第二パネル、より具体的には、第二パネルの内装パネル１１に対向する面に角丸三角形の頂点のうちの二つが配置されていて、対向する面から角部２８に向って高さが高くなっている。突出部２３Ｂは、筒部２２を構成する内装パネル１１に角丸三角形の頂点のうちの二つが配置されていて、対向する面から角部２８に向って高さが高くなっている。
【００２７】
筒部２２と突出部２３Ａ、２３Ｂとにより、床部２１に設置された小容器Ａ、大容器Ｂに対して、それらの周方向に間隔を空けて配置された三つ以上の支持部２９が形成されている。設置された容器の周方向に間隔を空けて配置されたそれぞれの支持部２９は、小設置領域２４の中心Ｐ１、大設置領域２５の中心Ｐ２に対して、隣り合う支持部２９どうしの中心角αが１８０度未満で、且つ、全ての中心角αの合計が３６０度に設定されている。
【００２８】
床部２１の小設置領域２４に一つ又は二つの小容器Ａを設置すると、設置された小容器Ａは、筒部２２と突出部２３Ａ、２３Ｂとのそれぞれにより形成された三つの支持部２９により支持される。
【００２９】
また、床部２１の大設置領域２５に一つの大容器Ｂを設置すると、大容器Ｂは、筒部２２と突出部２３Ａ、２３Ｂとにより形成された、大容器Ｂの周方向に間隔を空けて配置された四つの支持部２９により支持される。
【００３０】
以上のように、容器収納構造２０は、床部２１に二つの小設置領域２４と一つの大設置領域２５とを床部２１の長手方向であるｘ方向に沿って互い違いに配列すると共に、隣り合う小設置領域２４及び大設置領域２５を重なり合わせている。それ故、小容器Ａ又は大容器Ｂのそれぞれの出し入れの方向を同一方向にすることで、良好な使用感を維持することができる。また、小容器Ａ又は大容器Ｂのどちらか一方を床部２１に選択的に設置することで、設置に要する面積を小さくしつつ、小容器Ａ及び大容器Ｂのそれぞれを専用のスペースに設置することができる。これにより、省スペースで、異なる容器を安定した状態で収納することができる。
【００３１】
また、容器収納構造２０は、突出部２３Ａ、２３Ｂを、隣り合う小設置領域２４及び大設置領域２５が重なって形成された設置領域の外側に形成された角部２８に配置している。これにより、小容器Ａ又は大容器Ｂが設置されたときに、突出部２３Ａ、２３Ｂをそれらのどちらか一方に接することで、設置された容器を支持するには有利になり、設置された容器の脱落を確実に回避することができる。
【００３２】
特に、この実施形態のように、床部２１の一側方から突出した突出部２３Ａと、他側方から突出した突出部２３Ｂとの両方により、設置された容器を支持することで、支持力の向上には有利になる。
【００３３】
突出部２３Ａ、２３Ｂは、筒部２２からｙ方向内側に突出していればよい。例えば、突出部２３Ａをｘ方向に延在して、ｙ方向一端が筒部２２の第二パネルに接合されていて、他端がｚ方向可能に見て波型に形成されたリブで構成してもよく、突出部２３Ｂを床部２１からｚ方向上方に延在して、横断面形状が角丸三角形に形成されたリブで構成してもよい。また、突出部２３Ａ、２３Ｂは、筒部２２と一体化していてもよい。
【００３４】
加えて、容器収納構造２０は、筒部２２と突出部２３Ａ、２３Ｂとにより、床部２１に設置された全ての容器に対して、三つ以上の支持部２９をその容器の周方向に間隔を空けて配置している。これにより、設置された容器が床部２１のｘｙ平面上を動かないように、安定的に支持するには有利になる。
【００３５】
特に、それぞれの支持部２９を、小設置領域２４の中心Ｐ１、大設置領域２５の中心Ｐ２に対して、隣り合う支持部２９どうしの中心角αが１８０度未満で、且つ、全ての中心角αの合計が３６０度になるように設定している。それ故、設置された容器に対して、三方向以上の方向から支持することができる。これにより、設置された容器が床部２１のｘｙ平面上を動かないように、安定的した状態で支持するには有利になる。
【００３６】
更に、容器収納構造２０は、床部２１を二段構造としたことで、この実施形態のように規定容量が大きい大容器Ｂの床部２１における設置位置を低くすることで、筒部２２及び突出部２３Ａ、２３Ｂにより大容器Ｂの上方を支持可能になる。これにより、大容器Ｂをより安定的に支持するには有利になる。
【００３７】
なお、床部２１を一段構造で構成してもよい。その場合は、例えば、大容器Ｂに対する突出部２３Ａ、２３Ｂを、小容器Ａに対する突出部２３Ａ、２３Ｂを別々に設け、大容器Ｂに対する突出部２３Ａ、２３Ｂを、小容器Ａに対する突出部２３Ａ、２３Ｂよりも上方に設置するとよい。
【００３８】
また、この実施形態のように、床部２１を二段構成にした場合は、少なくとも小設置領域２４の中心Ｐ１が高床面２６上に存在することが好ましく、小設置領域２４うちの三分の二以上の領域が高床面２６上に存在することがより好ましい。このように、高床面２６に存在する小設置領域２４を設定することで、小容器Ａを安定した状態で設置する可能になる。
【００３９】
既述した実施形態では、筒部２２の一部がフロントドア１０の内装パネル１１で構成して、容器収納構造２０を内装パネル１１に一体化したものを例に説明した。容器収納構造２０は、内装パネル１１とは別体のものでもよい。また、容器収納構造２０は、床部２１がコンソールの内装パネルで構成されていてもよい。
【００４０】
床部２１は、水平に設置されていなくてもよく、例えば、内装パネル１１側の一側方に比して、他側方を下方に位置させて、容器を斜めに設置可能にしてもよい。
【符号の説明】
【００４１】
２０  容器収納構造
２１  床部
２２  筒部
２３  突出部
２４  小設置領域
２５  大設置領域
【図１】
2018127081.tif 000003
【図２】
2018127081.tif 000004
【図３】
2018127081.tif 000005
【図４】
2018127081.tif 000006